【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
個人の警戒のレベルの指示を生成するための方法であって、
前記個人の複数の注視方向を捕獲し、
前記個人の前記捕獲された複数の注視方向を分析して、注視パターンを決定し、そして、
前記注視パターンを用いて前記警戒のレベルの指示を生成し、そして、
前記警戒のレベルの前記生成された指示を提供する、
ステップを含む方法。
【請求項２】
前記個人の前記複数の注視方向を捕獲するステップが、
対応する一時的な位置の指示を伴った複数の画像を捕獲し、
各捕獲された画像において、個人の目の位置を検知し、
各捕獲された画像に対して、前記対応する一時的な位置の指示と共に、前記目の前記検知された位置を提供する、
ステップを含む請求項１に記載の方法。
【請求項３】
前記捕獲された複数の注視方向を分析するステップが、
前記検知された位置を用いて、前記目の目の固定位置（eye fixation position）を決定し、
少なくとも２つの連続する目の位置の間の移動周波数を更に決定する、
ステップを含む請求項２に記載の方法。
【請求項４】
前記警戒のレベルの指示を生成するステップが、
前記注記パターンを、複数の存在する（existing）注視パターンと比較して、前記警戒のレベルの前記指示を提供するステップを含む請求項１−３のいずれかに記載の方法。
【請求項５】
前記警戒のレベルの指示を生成するステップが、
前記警戒のレベルを計算するために時間に亘る（over time）所定の式（formulae）を用いるステップを含む、
請求項１−３のいずれかに記載の方法。
【請求項６】
前記警戒のレベルの指示を生成するステップが、
前記警戒のレベルの前記生成された指示を、所定の基準と比較するステップを更に含む、請求項１−３のいずれかに記載の方法。
【請求項７】
前記警戒のレベルの前記指示が所定のスレッシュホールドより低い場合に情報信号を提供するステップを更に含む、請求項１−６のいずれかに記載の方法。
【請求項８】
前記情報信号が警報信号を含む、請求項７に記載の方法。
【請求項９】
少なくとも２つの連続的な警戒のレベルが生成され、
更に、前記少なくとも２つの警戒のレベルの間の変動の指示を提供するステップを含む、
請求項１−６のいずれかに記載の方法。
【請求項１０】
前記変動が、所定のスレッシュホールドを越える場合に、情報信号を提供するステップを更に含む、請求項９に記載の方法。
【請求項１１】
前記情報信号が警報信号を含む、請求項１０に記載の方法。
【請求項１２】
前記注視パターンと共に前記警戒のレベルの前記指示を記憶するステップを更に含む、請求項１−１１のいずれかに記載の方法。
【請求項１３】
前記複数の画像の各々に対して対応する黒い画像及び対応する白い画像が生成され、
更に、
各捕獲された画像の中で、前記目の位置を検知するステップが、前記対応する黒の画像から前記対応する白い画像を減算することによって実行される、
請求項２に記載の方法。
【請求項１４】
個人の警戒のレベルの指示を提供するための装置であって、
前記個人の少なくとも１つの目の注視データ・ストリームを提供する注視捕獲ユニット、
前記注視データ・ストリームを受信し、前記注視データ・ストリームを用いて、前記警戒のレベルの前記指示を決定する処理ユニット、及び、
前記警戒のレベルの前記指示を受信し、提供するデータ提供ユニット、
を備える装置。
【請求項１５】
前記処理ユニットが、時間に亘る前記注視データ・ストリームを受信し、式を用いて前記警戒のレベルの指示を提供する、請求項１４に記載の装置。
【請求項１６】
複数の存在する注視パターンを含むメモリ・ユニットであって、各存在する注視パターンが、目の固定位置、及び、少なくとも２つの目の位置の間の移動周波数、及び、対応する警戒のレベルを含むメモリ・ユニット、
を更に備え、
更に、
前記処理ユニットが、前記決定された注視パターンを、前記複数の存在するパターンの少なくとも１つと比較して、前記警戒のレベルを決定する、
請求項１４に記載の装置。
【請求項１７】
前記注視捕獲ユニットが、画像捕獲ユニットを備える、請求項１４−１６のいずれかに記載の装置。
【請求項１８】
前記画像捕獲ユニットが、白黒の画像データ・ストリームを提供するデジタル・カメラ、及び、赤外線センサを備える、請求項１７に記載の装置。
【請求項１９】
前記警戒のレベルの前記指示を受信し、前記警戒のレベルの前記指示に従って、前記個人に信号を提供するユーザ・インターフェースを更に備える、
請求項１４−１８のいずれかに記載の装置。
【請求項２０】
前記提供された信号が、知覚的信号（sensorial signal）を含む、請求項１９に記載の装置。
【請求項２１】
前記知覚的信号が、視覚信号、音声信号、刺激信号、及び、動き信号、からなるグループから選択される、請求項２０に記載の装置。
【請求項２２】
前記データ提供ユニットが、前記警戒のレベルの前記指示を、ボディー・エリア・ネットワーク（ＢＡＮ：body area network）、ローカル・エリア・ネットワーク（ＬＡＮ）、メトロポリタン・エリア・ネットワーク（ＭＡＮ）、及び、ワイド・エリア・ネットワーク（ＷＡＮ）の少なくとも１つを用いて遠隔位置に提供する、請求項１６に記載の装置。
【請求項２３】
個人の眠気を予測するための方法であって、
前記個人の複数の注視方向を捕獲し、
前記個人の、前記捕獲された複数の注視方向を分析して、注視パターンを決定し、
前記注視パターンを用いて、前記警戒のレベルの指示を生成し、そして、
前記警戒のレベルの前記指示を用いて前記個人の眠気の指示を提供する、
ステップを含む方法。
【請求項２４】
前記個人の前記複数の注視方向を捕獲するステップが、
対応する一時的な位置の指示と共に複数の画像を捕獲し、
各捕獲された画像において、前記個人の目の位置を検知し、そして、
各捕獲された画像に対して、前記対応する一時的な位置の指示と共に、前記目の前記検知された位置を提供する、
ステップ含む、請求項２３に記載の方法。
【請求項２５】
前記捕獲された複数の注視方向を分析するステップが、
前記検知された位置を用いて、前記目の目の固定位置を決定するステップ、及び、更に、
少なくとも２つの連続的な目の位置の間の移動周波数を決定するステップを含む、
請求項２４に記載の方法。
【請求項２６】
前記警戒のレベルの指示を生成するステップが、
前記注視パターンを複数の存在する注視パターンと比較して、前記警戒のレベルの前記指示を提供するステップを含む、請求項２５に記載の方法。
【請求項２７】
前記警戒のレベルの指示を生成するステップが、前記警戒のレベルを計算するために、時間に亘る所定の式を使用するステップを含む、請求項２３−２５のいずれかに記載の方法。
【請求項２８】
前記眠気の指示を提供するステップが、更に、
前記眠気の指示が、所定のスレッシュホールドを越える場合に、警報信号を提供するステップを含む、請求項２３−２７のいずれかに記載の方法。
【請求項２９】
対応する黒の画像及び対応する白の画像が、前記複数の画像の各々に対して生成され、更に、
各捕獲された画像において、前記目の前記位置を検知するステップが、前記対応する黒の画像から、前記対応する白の画像を減算することによって実行される、
請求項２４に記載の方法。
【請求項３０】
実行されたときに、コンピュータに、請求項１−１３のいずれかに記載の方法を実行させる、コンピュータ読み取り可能な命令を含む、コンピュータ読み取り可能な媒体。
【請求項３１】
実行されたときに、コンピュータに、請求項２３−２９のいずれかに記載の方法を実行させる、コンピュータ読み取り可能な命令を含む、コンピュータ読み取り可能な媒体。